(57)【要約】【課題】Ｘ線の照射範囲を調整するＸ線可動絞りにおいて、照射範囲の縦および横の幅を調整するためのつまみは通常操作しやすいようにその前面に取り付けられているが、移動式Ｘ線撮影装置に取り付けられた場合、撮影時にＸ線可動絞りの前面部が病室の壁等に近接して配置されると操作者がＸ線可動絞りの前面側に立ち入ることができず、つまみの操作が非常に難しくなることがある。このようなときＸ線可動絞りを１８０度回転させる手間を要したり、後面部に前面部と同じつまみをもう一組追加したＸ線可動絞りを使用することなくこの問題を解決する。【解決手段】照射範囲の縦および横の幅を調整するための横開閉つまみ５および縦開閉つまみ６をそれぞれＸ線可動絞り１のケース２の異なる面の上、下、左、右端付近のいずれかに取り付け、取り付け面とは異なる面から容易にＸ線の照射範囲を調整できるようにする。【選択図】          図１
2008017874.tif 000002
【特許請求の範囲】
【請求項１】
Ｘ線の照射範囲を調整する少なくとも２組の可動リーフと、前記２組の可動リーフの開閉機構をそれぞれ動作させるための２個の操作つまみと、前記可動リーフを収納するケースを備えたＸ線可動絞りにおいて、前記２個の操作つまみはそれぞれ前記ケースの異なる面に取り付けられ、それぞれの操作つまみは当該取り付けられた面とは異なる面から操作できるよう当該取り付けられた面の上、下、左、右端付近に操作つまみの端部が位置する状態で取り付けられていることを特徴とするＸ線可動絞り。
【請求項２】
操作つまみの端部が前記操作つまみが取り付けられた面からはみ出していることを特徴とする請求項１記載のＸ線可動絞り。
【請求項３】
操作つまみおよび/またはケースに前記操作つまみの位置に対応してＸ線の照射範囲を示す目盛を表記したことを特徴とする請求項１または請求項２記載のＸ線可動絞り。
【発明の詳細な説明】
【技術分野】
【０００１】
本発明はＸ線の照射範囲を調整するためのＸ線可動絞りに関する。
【背景技術】
【０００２】
Ｘ線撮影装置によりＸ線撮影を行うとき、被写体の撮影を行う領域のみにＸ線を照射して無駄な被爆を防止するためにＸ線可動絞りを用いて照射範囲が調整される。以下図６、図７により一般的なＸ線可動絞りの構成例について説明する。ここで図６はＸ線可動絞り１の外観を示す図であり、図７（ａ）は図６の切断面Ａにより切断されたＸ線可動絞り１を上から見て本発明に関係する部分を示した図である。また図７（ｂ）は図７（ａ）のＡ−Ａ断面図であり同じく本発明に関係する部分を示した図である。なお通常Ｘ線可動絞りはＸ線の照射範囲を光で示す機能を有しているが、この機能は本発明とは特に関係ないので説明は省略する。図６に示すようにＸ線可動絞り１は通常直方体のケース２を有しており、その上面中央部にはＸ線管（図示しない）前面に回転可能に取り付けるための絞り回転部３が設けられている。
【０００３】
そしてＸ線管から照射されたＸ線が吸収されることなくＸ線可動絞り１を通過できるようにケース２の上面および下面の中央部は適当な広さで切り取られており、絞り回転部３の中央にも孔４が設けられている。さらにＸ線可動絞り１の内部には、図７（ａ）に示すように、通過するＸ線の一部を遮蔽して照射範囲を調整するために、鉛等のＸ線吸収体で構成され互いに平行に配置された２枚の矩形の縦リーフ１７およびこれらと直行して互いに平行に配置された２枚の矩形の横リーフ２１が設けられており、縦リーフ１７と横リーフ２１に囲まれる矩形の空間がＸ線の照射範囲を形成している。
【０００４】
次に図７により上述のＸ線の照射範囲を調整する機構の例について説明する。ケース２の内部には図７（ａ）に示すように２個の矩形のそれぞれの４隅にあたる位置に配置され、その中心軸がケース２に支持された各４個のプーリ９およびプーリ１４が存在する。そして４個のプーリ９に外接して横リーフ用ワイヤ１１が、また４個のプーリ１４に外接して縦リーフ用ワイヤ１０がたるみなく張られており、縦リーフ用ワイヤ１０の両端部はケース２の前面部に回転可能に取り付けられた縦開閉つまみ７の回転軸７Ａに互いに逆まわりで適当回数巻きつけられた後固定され、横リーフ用ワイヤ１１の両端部も横開閉つまみ８の回転軸８Ａに同様の方法で固定されている。
【０００５】
また縦リーフ用ワイヤ１０が形成する矩形の上辺および下辺にはそれぞれ縦リーフ用スライダ１２が矩形の中心に対してほぼ点対称になる位置に取り付けられており、横リーフ用ワイヤ１１が形成する矩形の左辺および右辺にはそれぞれ横リーフ用スライダ１３が矩形の中心に対してほぼ点対称になる位置に取り付けられている。これにより縦開閉つまみ７を回転させるとその回転方向に応じて２個の縦リーフ用スライダ１２が互いにほぼ点対称の関係を保ちながら図の左右いずれかにスライドし、横開閉つまみ８を回転させるとその回転方向に応じて２個の横リーフ用スライダ１３が互いにほぼ点対称の関係を保ちながら図の上下いずれかにスライドする。
【０００６】
縦リーフ用スライダ１２および横リーフ用スライダ１３がスライドすることによりＸ線の矩形の照射範囲の縦および横の幅が調整されるが、縦横の幅はどちらも同じ方法で調整されるので、以下で２枚の縦リーフ１７による横幅の調整について説明する。図７（ａ）に示す縦リーフ用ワイヤ１０が形成する矩形の上辺および下辺のやや内側の両辺に平行で紙面に垂直なそれぞれの面上に縦リーフ支持腕１５が、図７（ｂ）に示す支点１６を中心に回転可能にケース２に支持されている。そして各縦リーフ支持腕１５の支点１６と反対側の端部に鉛等のＸ線吸収体で構成された矩形の縦リーフ１７がいずれも縦リーフ支持腕１５に垂直にかつ縦リーフ用ワイヤ１０が形成する矩形の内側方向に取り付けられている。
【０００７】
また２個の縦リーフ用スライダ１２はその中央部に自身に垂直でかつ縦リーフ用ワイヤ１０が形成する矩形の内側に向いた円柱状のピン１２Ａを有している。そして各縦リーフ支持腕１５には、図７（ｂ）に示すように、それぞれピン１２Ａの直径よりやや広い幅の長穴１８が設けられており、２個の縦リーフ用スライダ１２のそれぞれのピン１２Ａがそれぞれの縦リーフ支持腕１５の長穴１８を通り抜けるように配置されている。このような構造により、縦開閉つまみ７を左右いずれかに回転させると２個の縦リーフ用スライダ１２がスライドし、縦開閉つまみ７の回転方向に応じて２個の縦リーフ１７がそれぞれの支点１６を中心にした円上を互いに接近する方向または離れる方向に移動してＸ線の矩形の照射範囲の横の幅が調整される。
【０００８】
このようなＸ線可動絞り１をＸ線撮影装置、特に移動式Ｘ線撮影装置に取り付けた例を図３に示す。３０は移動式Ｘ線撮影装置の一種である回診用Ｘ線撮影装置で、その前部に回転自在に取り付けられた支柱３４に上下動可能に取り付けられた伸縮可能なＸ線管保持腕３５の先端にＸ線管３１が取り付けられ、さらにＸ線管３１にＸ線可動絞り１が取り付けられている。回診用Ｘ線撮影装置３０は移動可能なので病室のベッド３３に載置された被検者３２の近傍まで移動させた後、被検者３２とベッド３３の間にフィルムを内蔵したカセッテ等のＸ線受光部（図示しない）を配置し、Ｘ線管３１を被検者３２の上方の適当な位置に配置して、Ｘ線可動絞り１の前面部に取り付けられた縦開閉つまみ７および横開閉つまみ８を操作することによりＸ線の照射範囲が調整される。
【０００９】
このとき図３に示した壁が存在しなければ、操作者（図示しない）は壁の側にまわって容易にＸ線可動絞り１の前面部に取り付けられた縦開閉つまみ７および横開閉つまみ８を操作することができるが、病室では図３に示す位置に壁が存在する等の理由で操作者がＸ線可動絞り１の前面部側に立つことができないことも多い。このような場合Ｘ線可動絞り１をＸ線管３１に取り付けた状態で１８０度回転させて縦開閉つまみ７および横開閉つまみ８を回診用Ｘ線撮影装置３０側に向けることもできるが、通常そのための操作は容易ではない。また回転のためにはＸ線可動絞り１に接続されるケーブル（図示しない）をたるませておく必要があるが、このケーブルのたるみは回診用Ｘ線撮影装置３０の操作の邪魔になるものである。
【００１０】
そのため図８に示すようにＸ線可動絞り１の前面部および後面部の両方に縦開閉つまみ７および横開閉つまみ８を配置し、前面部および後面部の対応するつまみ同士をそれぞれ連結軸１９および２０で連結して前面部および後面部のどちらからも操作できるようにしたものも考案されている（例えば特許文献１参照）。なお図８において図６と同じ符号で示される部品等は図６と同一であり説明は省略する。
【特許文献１】特開２００４−１２１４０７号公報
【発明の開示】
【発明が解決しようとする課題】
【００１１】
Ｘ線の照射範囲を調整する縦開閉つまみ７および横開閉つまみ８は操作しやすいようにＸ線可動絞り１の前面部に取り付けられているが、上述したようにＸ線可動絞り１をＸ線撮影装置、特に移動式Ｘ線撮影装置に取り付けて使用する場合、前面部が病室の壁等に近接して配置されつまみの操作が困難な場合が生じる。このような場合Ｘ線可動絞り１をＸ線管３１に取り付けた状態で１８０度回転させて縦開閉つまみ７および横開閉つまみ８を回診用Ｘ線撮影装置３０側に向けることもできるが、通常そのための操作は容易ではなく、また回転のためにはＸ線可動絞り１に接続されるケーブルをたるませておく必要があり、これは回診用Ｘ線撮影装置３０の操作の邪魔になるので好ましくない。
【００１２】
そのためＸ線可動絞り１の前面部および後面部の両方に縦開閉つまみ７および横開閉つまみ８を配置し、前面部および後面部の対応するつまみ同士をそれぞれ連結軸で連結して前面部および後面部のどちらからも操作できるようにしたものも考案されているが、構造が複雑になりコストアップにつながる。本発明はコストアップを伴うことなく、前後方向のどちらからも容易にＸ線の照射範囲を調整することができるＸ線可動絞りを提供する。
【課題を解決するための手段】
【００１３】
請求項１記載の発明は上記の目的を達成するために、Ｘ線の照射範囲を調整する少なくとも２組の可動リーフと、前記２組の可動リーフの開閉機構をそれぞれ動作させるための２個の操作つまみと、前記可動リーフを収納するケースを備えたＸ線可動絞りにおいて、前記２個の操作つまみはそれぞれ前記ケースの異なる面に取り付けられ、それぞれの操作つまみは当該取り付けられた面とは異なる面から操作できるよう当該取り付けられた面の上、下、左、右端付近のいずれかに操作つまみの端部が位置する状態で取り付けられているＸ線可動絞りを提供する。
【００１４】
請求項２記載の発明は上記の目的を達成するために、操作つまみの端部が前記操作つまみが取り付けられた面からはみ出している請求項１記載のＸ線可動絞りを提供する。
【００１５】
請求項３記載の発明は上記の目的を達成するために、操作つまみおよび/またはケースに前記操作つまみの位置に対応してＸ線の照射範囲を示す目盛を表記した請求項１または請求項２記載のＸ線可動絞りを提供する。
【発明の効果】
【００１６】
本発明によりＸ線の照射範囲を調整する２個のつまみがそれぞれケースの異なる面の上、下、左、右端付近のいずれかに取り付けられ、さらには取り付けられた面からはみ出して取り付けられたＸ線可動絞りが供給されるので、コストアップを伴うことなく取り付けられた面とは異なる面から容易にＸ線の照射範囲を調整することが可能になる。
【発明を実施するための最良の形態】
【００１７】
本発明の実施例について図１および図２を用いて説明する。ただし図１、図２において図６、図７と同じ符号で示される部品等は図６、図７と同じものなのでそれらについての説明は省略する。ここで図１（ａ）〜（ｄ）はいずれも本発明によるＸ線可動絞り１の外観を示す図であり、横開閉つまみ５および縦開閉つまみ６がそれぞれ取り付けられた面の上、下、左、右端付近に取り付けられ、かつ各操作つまみの端部が取り付けられた面からはみ出して取り付けられた例を示している。そして図２は図１（ｂ）を例としてＸ線可動絞り１に内蔵されたＸ線の照射範囲を調整する機構を説明するための図であり、図２（ａ）は図１（ｂ）の切断面Ｂにより切断されたＸ線可動絞り１を上から見て本発明に関係する部分を示した図である。また図２（ｂ）は図２（ａ）のＢ−Ｂ断面図であり同じく本発明に関係する部分を示した図である。図１に示すようにＸ線可動絞り１は直方体のケース２を有しており、その上面中央部にはＸ線管（図示しない）前面に回転可能に取り付けるための絞り回転部３が設けられている。
【００１８】
そしてＸ線管から照射されたＸ線が吸収されることなくＸ線可動絞り１を通過するようにケース２の上面および下面の中央部は適当な広さで切り取られており、絞り回転部３の中央にも孔４が設けられている。さらにＸ線可動絞り１の内部には、図２（ａ）に示すように、通過するＸ線の一部を遮蔽して照射範囲を調整するために、鉛等のＸ線吸収体で構成され互いに平行に配置された２枚の矩形の縦リーフ１７およびこれらと直行して互いに平行に配置された２枚の矩形の横リーフ２１が設けられており、縦リーフ１７と横リーフ２１に囲まれる矩形の空間がＸ線の照射範囲を形成している。
【００１９】
次に図２によりＸ線可動絞り１に内蔵されるＸ線の照射範囲を調整する機構の例について説明する。ケース２の内部には図２（ａ）に示すように２個の矩形のそれぞれの４隅にあたる位置に配置され、その中心軸がケース２に支持された各４個のプーリ９およびプーリ１４が存在する。そして４個のプーリ９に外接して横リーフ用ワイヤ１１が、また４個のプーリ１４に外接して縦リーフ用ワイヤ１０がたるみなく張られており、縦リーフ用ワイヤ１０の両端部は、ケース２の側面部に回転可能に取り付けられた縦開閉つまみ６の回転軸６Ａに、互いに逆まわりで適当回数巻きつけられた後固定され、横リーフ用ワイヤ１１の両端部も、縦開閉つまみ６が取り付けられた面に対向する側面に回転可能に取り付けられた横開閉つまみ５の回転軸５Ａに同様の方法で固定されている。
【００２０】
また縦リーフ用ワイヤ１０が形成する矩形の上辺および下辺にはそれぞれ縦リーフ用スライダ１２が矩形の中心に対してほぼ点対称になる位置に取り付けられており、横リーフ用ワイヤ１１が形成する矩形の左辺および右辺にはそれぞれ横リーフ用スライダ１３が矩形の中心に対してほぼ点対称になる位置に取り付けられている。これにより縦開閉つまみ６を回転させるとその回転方向に応じて２個の縦リーフ用スライダ１２が互いにほぼ点対称の関係を保ちながら図の左右いずれかにスライドし、横開閉つまみ５を回転させるとその回転方向に応じて２個の横リーフ用スライダ１３が互いにほぼ点対称の関係を保ちながら図の上下いずれかにスライドする。
【００２１】
縦リーフ用スライダ１２および横リーフ用スライダ１３がスライドすることによりＸ線の矩形の照射範囲の横および縦の幅が調整されるが、縦横の幅はどちらも同じ機構により調整されるので、以下２枚の縦リーフ１７による横幅の調整について説明する。図２（ａ）に示す縦リーフ用ワイヤ１０が形成する矩形の上辺および下辺のやや内側の両辺に平行で紙面に垂直なそれぞれの面上に縦リーフ支持腕１５が、図２（ｂ）に示す支点１６を中心に回転可能にケース２に支持されている。
【００２２】
そして各縦リーフ支持腕１５の支点１６と反対側の端部に鉛等のＸ線吸収体で構成された矩形の縦リーフ１７がいずれも縦リーフ支持腕１５に垂直にかつ縦リーフ用ワイヤ１０が形成する矩形の内側方向に取り付けられている。また２個の縦リーフ用スライダ１２はその中央部に自身に垂直でかつ縦リーフ用ワイヤ１０が形成する矩形の内側に向いた円柱状のピン１２Ａを有している。そして各縦リーフ支持腕１５には、図２（ｂ）に示すように、それぞれピン１２Ａの直径よりやや広い幅の長穴１８が設けられており、２個の縦リーフ用スライダ１２のそれぞれのピン１２Ａがそれぞれの縦リーフ支持腕１５の長穴１８を通り抜けるように配置されている。
【００２３】
このような構造により、縦開閉つまみ６を左右いずれかに回転させると２個の縦リーフ用スライダ１２がスライドし、縦開閉つまみ６の回転方向に応じて２個の縦リーフ１７がそれぞれの支点１６を中心にした円上を互いに接近する方向または離れる方向に移動してＸ線の矩形の照射範囲の横の幅が調整される。
【００２４】
上述のようにＸ線の照射範囲を調整する横開閉つまみ５および縦開閉つまみ６をそれぞれＸ線可動絞り１の異なる面に取り付け、それぞれの操作つまみが取り付けられた面とは異なる面から操作できるよう、取り付けられた面の上、下、左、右端付近のいずれかに各操作つまみの端部が位置する状態で取り付けることにより、図３に示すようにＸ線可動絞り１の前面が病室の壁に近接して配置された場合でも回診用Ｘ線撮影装置３０側等から容易にＸ線の照射範囲を調整することができる。
【００２５】
上記の実施例では横開閉つまみ５および縦開閉つまみ６の端部が取り付けられた面の上、下、左、右端部付近のいずれかに位置する状態で取り付けられているが、図４に示すように取り付けられた面の複数の端部付近に位置する状態で取り付けられてもよい。なお図４において図６と同じ符号で示される部品等は図６と同じものなのでそれらについての説明は省略する。
【００２６】
上記の実施例では操作つまみの形状を横開閉つまみ５および縦開閉つまみ６のように円板状にしたが、図５に示す横開閉レバー４１および縦開閉レバー４２のようなレバー状にしてもよい。なお図５において図６と同じ符号で示される部品等は図６と同じものなのでそれらについての説明は省略する。
【００２７】
上記の実施例で図４または図５に示すように、横開閉つまみ５および縦開閉つまみ６またはケース２に操作つまみの停止位置に対応したＸ線の照射範囲を示す目盛４０を付加してもよい。
【産業上の利用可能性】
【００２８】
本発明はＸ線の照射範囲を調整するためのＸ線可動絞りに関する。
【図面の簡単な説明】
【００２９】
【図１】本発明の実施例を説明するための図である。
【図２】本発明によるＸ線可動絞りの構成例を示す図である。
【図３】移動式Ｘ線撮影装置にＸ線可動絞りを取り付けた例を示す図である。
【図４】本発明の別の実施例を示す図である。
【図５】本発明のさらに別の実施例を示す図である。
【図６】従来のＸ線可動絞りの例を示す図である。
【図７】従来のＸ線可動絞りの構成例を示す図である。
【図８】従来のＸ線可動絞りの別の例を示す図である。
【符号の説明】
【００３０】
１：Ｘ線可動絞り
２：ケース
３：絞り回転部
４：孔
５、８：横開閉つまみ
５Ａ、６Ａ、７Ａ、８Ａ：回転軸
６、７：縦開閉つまみ
９、１４：プーリ
１０：縦リーフ用ワイヤ
１１：横リーフ用ワイヤ
１２：縦リーフ用スライダ
１２Ａ：ピン
１３：横リーフ用スライダ
１５：縦リーフ支持腕
１６：支点
１７：縦リーフ
１８：長穴
１９、２０：連結軸
２１：横リーフ
３０：回診用Ｘ線撮影装置
３１：Ｘ線管
３２：被検者
３３：ベッド
３４：支柱
３５：Ｘ線管保持腕
４０：目盛
４１：横開閉レバー
４２：縦開閉レバー
【図１】
2008017874.tif 000003
【図２】
2008017874.tif 000004
【図３】
2008017874.tif 000005
【図４】
2008017874.tif 000006
【図５】
2008017874.tif 000007
【図６】
2008017874.tif 000008
【図７】
2008017874.tif 000009
【図８】
2008017874.tif 000010